(57)【特許請求の範囲】
【請求項１】
ガラス製品形成機械に用いられる型機構であって、
各々、型半部の１つまたはそれ以上の支持体を有する２つの型アームと、
フレーム部材に設けられ、前記型アームの端部分を開位置と閉位置との間で摺動運動可能に取り付ける横棒と、
前記型アームを開位置と閉位置との間で互いに近づけたり遠ざけたりするための装置と、
を有する型機構において、
第１型アームに、前記横棒上を摺動する第１のスリーブが固着され、
第２型アームに、前記第１のスリーブ上を摺動する第２のスリーブが固着されている
ことを特徴とする型機構。
【発明の詳細な説明】
【０００１】
【産業上の利用分野】
本発明はガラス製品形成機械に用いられる型機構に関する。
【０００２】
【従来の技術】
普通の形式のガラス製品形成機械は所謂独立セクション機械、即ちＩ. Ｓ. 機械であり、この機械は、互いにずらした時間関係で作動させる別々のセクションを有し、従って各セクションがガラス製品を製造する。１０、１２、或いはそれ以上のセクションを有するＩ. Ｓ. 機械はありふれている。
【０００３】
【発明が解決しようとする問題点】
Ｉ. Ｓ. 機械のセクションは２組の型を有し、各組は一対、２対、３対又は４対の型半部を有し、一方の組は機械に供給された溶融ガラスの塊からパリソンを形成するようになっており、他方の組はパリソンから吹き込み容器を形成するようになっている。これらの型を開状態と閉状態と間で移動させるための機構は型半部を垂直枢着点を中心に移動させて型半部を円弧状に移動させるか、型半部を平行運動で移動させるかのいずれかである。多くの方法では、型半部の平行運動が好まれる、型半部に一貫した状態を与えることが容易である。しかしながら、平行型機構は、一般的には、特に、装置の必要な剛性を確保する必要性のために、円弧型機構よりも高価である。
米国特許第４００９０１８号には、平行型機構が説明されている。この機構は２つの型アームを有し、各型アームは型半部の１つ又はそれ以上の支持体と、フレーム部材に設けられた３つの横棒とを有する。各型アームはこれらの型部材のうちの２つに摺動運動可能に設けられ、１つの横棒に摺動自在に設けられた長いスリーブを有し、（かくして、型アームに横剛性を与え、）又もう１つの横棒に摺動自在に設けられた短いスリーブを有し、この横棒は又短いスリーブを有し、このスリーブはこれに摺動自在に設けられた他の型アームの一部を形成する。２つの棒に設けられた２つのスリーブの組合せは型アームの垂直位置を決定する。この構造は製造に費用がかかるばかりでなく、型アームの垂直位置の調整を効果的に行うことができないので、型アームの垂直位置の正しさを確保するために部品を大変厳密な公差に製造する必要がある。
【０００４】
本発明の目的の１つは、安価でもっと簡便な構造の平行型機構を提供することにある。
【０００５】
【問題点を解決するための手段】
本発明は、ガラス製品形成機械に用いられる型機構であって、各々、型半部の１つまたはそれ以上の支持体を有する２つの型アームと、フレーム部材に設けられ、型アームの端部分を開位置と閉位置との間で摺動運動可能に取り付ける横棒と、型アームを開位置と閉位置との間で互いに近づけたり遠ざけたりするための装置と、を有する型機構において、第１型アームに、横棒上を摺動する第１のスリーブが固着され、第２型アームに、第１のスリーブ上を摺動する第２のスリーブが固着されていることを特徴とする型機構を提供する。今、本発明を具体化する型機構の、添付図面を参照して読まれるべき以下の説明からより明らかになろう。
【０００６】
【実施例】
図面は、ガラス製品形成機械でパリソンを形成するのに用いられる型機構を示す。ガラス製品形成機械は、そのフレームの頂きプレート（図示せず）に固着されるフレーム部材２を有する。フレーム部材２は２つの上方に延びた向かい合いのトラニオン４を有し、焼入れ鋼の横棒６がこれらのトラニオンに固着されている。
２つの型アーム８、１０は各々型半部Ｍの１つまたはそれ以上（特に３つ）の支持体を有し、横棒６に摺動運動自在に取り付けられている。型アーム８は横棒６を取り囲む端部分１２を有し、端部分１２は、横棒６上を摺動する鋳鉄のスリーブ１６にボルト１４で固着される。型アーム１０は端部分１８を有し、スリーブ１６上を摺動する焼入れ鋼のスリーブ２０が端部分１８に押し嵌められている。型アーム８の端部分１２内にカバースリーブ１７が摺動自在に設けられ、該カバースリーブ１７はスリーブ１６の外面を埃から保護するのに役立つ。型アーム８、１０の各々は、米国特許第４００９０１８号に記載された作動機構とほぼ同様である作動機構にリンク仕掛け手段によって連結される。型アーム８、１０の各々の作動機構は、機械のフレームに取り付けられ、且つ図示してない機構によって回転させることができる垂直シャフト２２を有し、垂直シャフトの上端部分にはレバー２４が固着されている。レバー２４にはリンク２６が回動自在に取り付けられ、リンク２６はスリーブ３４によって型アーム８、１０に枢着されている。リンク２６の端部分２５が、スリーブ３４を取り囲む支持スリーブ２７を取り囲んでいる。スリーブ３４上に位置決めされたワッシャー２９が端部分２５及びスリーブ２７と型アーム８、１０のキャビティ３３の上端面３１との間に位置する
【０００７】
約７０°までのシャフト２２の回転は型アーム８、１０を図１に示す位置から図２まで、即ち開位置と閉位置との間で移動させる。
各型アーム８、１０は、横棒６に関して型アームの角度位置を決定する位置決め部材を有し、型アーム１０の位置決め部材を図３及び４を参照して今説明する。
フレーム部材２の横方向に延びるＴ形スライド路３０がフレーム部材２の上面にボルト２８によって固着されている。型アーム１０のボア３２にはスリーブ３４がねじ込まれている。スリーブ３４は拡大端部分３８を有する軸線方向ボア３６を有する。スリーブ３４の端面４０は面取りされている。スリーブ３４はその上端に向かって六角頭４２を有する。
スリーブ３４のボア３６には、頭４６とねじ山付シャンク４８とを有するボルト４４が位置決めされている。スライド部材５０がシャンク４８に固着され、そしてねじボアをもったボス５２、水平部分５４、２つの下方に延びたサイド部分５６及び２つの内方に延びたランド５８を備えている。かくして、スライド部材５０は横断面がほぼＣ形をなし、Ｔ形スライド３０のバーを取り囲む。水平部分５４はスライド３０の上面を横切って延び、又ランド５８はＴ形スライド３０のバーの下で延びている。
【０００８】
型機構は機構の種々の移動部品を潤滑するための慣例的な手段を有し、そのあるものだけを示す。潤滑パイプ３７が型アーム１０に形成された潤滑通路３９に通じ、該通路はボア３２に通じた水平部分４１を有する。スリーブ３４には、水平部分４１と対向して位置決めされた環状凹部４３が設けられ、半径方向穴４５が凹部４３からスリーブ３４のボア３６に通じている。スライド部材５０の水平部分５４の上面には、傾斜凹部６０が形成され、これにスリーブ３４の面取り端面４０が載っている。スライド部材５０を潤滑するオイルがボア３６を下方に通ってこの凹部６０へ流入する。
ねじ６４で型アーム１０に固着されたロックプレート６２が頭４２を所定位置に固定するのに役立つ。
ロックプレート６２を解放し、スリーブ３４の頭４２を回すことによって、スリーブを型アーム１０内で上下動させることができる。スライド路３０はフレーム部材２に固定され、かくして、スリーブのこの運動により型アーム１０を横棒６を中心に回動させ、かくして、型アーム１０の位置の微調整を可能にして型アームの正しい水平位置にする。
【０００９】
厳密に同様な構成が型アーム８についても設けられ、型アームの開閉運動の際、スライド部材５０はスライド路３０にそって摺動することは理解されよう。
各型アーム８、１０は冷却空気を型アームによって支持された型半部に供給するための手段を備える。
図３を参照すると、フレーム部材２は、下方に向いた水平な入口開口６８及び前方に向いた垂直な出口開口７０を有する室６６を備える。フレーム部材２にはフラップ弁部材７２が設けられ、該フラップ弁部材はシャフト７４に枢着されている。空気ピストン・シリンダ装置７６によって入口開口６８を閉じる位置へフラップ弁部材を移動させることができる。型アーム１０は後方の垂直な入口８０と２つの出口８２とを有する室７８を備える。出口８２は導管８４と連通し、型機構が使用中である時、この導管は、型の各々のための冷却装置の一部であるプレナム室に連結され、この冷却装置はヨーロッパ特許第１５３５３４号に記載されたものとほぼ同様である。
空気ピストン・シリンダ装置７６への空気の供給は電磁弁（図示せず）によって制御され、かくして、フラップ弁部材７２を所望の時に開閉させる。型アーム１０がその閉位置にあるとき、型アームの入口８０は室６６の出口開口７０と完全に整合する。型の冷却が通常行われるのは型が閉じられているときである。しかしながら、型アーム１０がその開位置にあるときでも、入口８０と出口開口７０との間に重なりがあり、従って所望ならば、型の冷却空気を供給することができる。
【００１０】
空気が空気ピストン・シリンダ装置７６に供給されるとき、フラップ弁部材７２は閉じられ、冷却空気は型に供給されない。空気ピストン・シリンダ装置７６への空気の供給が止められるとき、機械のフレームの中の冷却空気の圧力はフラップ弁部材７２を開き、空気は室６６、７８を通して導管８４に、其故に型に供給されて型を冷却する。型アーム８、１０がそれらの閉状態へ移動されるとき、型半部間の圧力をバランスさせるための装置を備えており、型部材を型アーム８、１０に取り付けることは、普通のことであるから説明しない。上述した型機構は、他の提案された平行な型機構よりも製造が一般的に安価である。
【図面の簡単な説明】
【図１】型機構を開状態で示す平面図である。
【図２】型機構を閉状態で示す平面図である。
【図３】図２のIII −III 線における断面図である。
【図４】図３の部分の拡大図である。
【符号の説明】
２  フレーム部材
６  横棒
８  型アーム
１０  型アーム
１６  鋳鉄のスリーブ
２０  焼入れ鋼のスリーブ
３０  スライド路
５０  スライド部材
【図１】
0003806159.tif 000002
【図２】
0003806159.tif 000003
【図３】
0003806159.tif 000004
【図４】
0003806159.tif 000005